(57)【要約】【課題】風向変更部を工具等を用いずに取り付けが可能な風向変更装置を提供することを目的とする。【解決手段】空気吹出口の三方を囲むように設けられた通風枠部６の長手方向の両端部に形成される壁面に設けた支持孔９Ａ、９Ｂに設けられる軸受部１３Ａ、１３Ｂと、軸受部１３Ａ、１３Ｂに回動自在に軸支される軸部１７Ａ、１７Ｂを設けた主風向板１８と、主風向板１８に取り付けられる副風向板１９により形成される風向変更部２２とを備え、主風向板１８のみを弾性変形して取り付けたのち副風向板１９を取り付けることにより、風向変更部２２を工具等を用いず取り付けが可能な風向変更装置が得られる。【選択図】  図１
2004251585.tif 000002
【特許請求の範囲】
【請求項１】
本体の天面に細長く形成された空気吹出口の三方を囲むように設けられた通風枠部と、この通風枠部の長手方向の両端部に形成される壁面に設けた支持孔に設けられる軸受部と、この軸受部に回動自在に軸支される軸部を設けた主風向板と、この主風向板に所定間隔をあけて取り付けられる副風向板とにより形成される風向変更部とを備え、前記風向変更部は主風向板のみを弾性変形させて前記軸受部に軸部を介して軸支し、この軸支された主風向板に前記副風向板を取り付ける構成とした風向変更装置。
【請求項２】
風向変更部が略垂直状態において、副風向板を取手と間違えて持ち上げたときには、前記副風向板が外れる係合状態で主風向板に取り付けられている構成とした請求項１記載の風向変更装置。
【請求項３】
通風枠部を形成する蓋を取付けねじを介して本体に取り付ける取付部を前記通風枠部の壁面に設け、前記取付部は前記取付けねじを囲む環状リブにより形成し、風向変更部が前記取付部に当接して略水平状態に保持される構成とした請求項１記載の風向変更装置。
【請求項４】
風向変更部を自動運転する駆動手段を蓋の内部に設け、駆動手段を設ける側の軸受部は除き、前記駆動手段の駆動軸を主風向板の軸部に連結して自動運転ができるようにして、手動運転と自動運転を同一の風向変更部で形成できる構成とした請求項１または３記載の風向変更装置。
【発明の詳細な説明】
【０００１】
【発明の属する技術分野】
本発明は、空気調和機等の空気吹出口に設けられる二枚の風向板よりなる風向変更装置に関する。
【０００２】
【従来の技術】
従来の除湿機に設けられる風向変更装置は、本体の空気吹出口部に主風向板と副風向板からなる風向板を設け、この風向板を一定角度をもって回転往復制御する駆動装置を設けている（例えば特許文献１参照）。
【０００３】
【特許文献１】
特開２０００−２４０９７４号公報（［０００９］［００１０］図１〜図３）
【０００４】
【発明が解決しようとする課題】
このような従来の風向変更装置では、主風向板と副風向板を一体的に設け風向板を形成しているので、風向板を弾性変形して空気吹出口の側方にはめ込み取り付けることができないものであり、風向板に設けた回転軸を上下に分割した軸受部等により、工具を用いてねじ止めして包持しなければならないという課題があり、工具を使用しなくても容易に着脱できる複数の風向板を備えた風向変更装置が要求されている。
【０００５】
また、風向板が略垂直状態のときに、取手と間違えて風向板を持ち上げたときには、風向板が重い本体の重量にたえかねて破損し、使用できなくなるという課題があり、風向板を持ち上げても破損せず使用できることが要求されている。
【０００６】
また、同一の風向板を自動運転時と手動運転時に共用できるようにする課題があり、共用できる風向変更部が要求されている。
【０００７】
本発明は、上記課題を解決するもので、風向変更部を工具等を用いず取り付けが可能で、取手と間違えられたときでも破損することがなく、また風向変更部を自動運転と手動運転に共用できるようにして部品管理の簡素化および部品の間違いを少なくすることのできる風向変更装置を提供することを目的としている。
【０００８】
【課題を解決するための手段】
本発明の風向変更装置は上記目的を達成するために、本体の天面に細長く形成された空気吹出口の三方を囲むように設けられる通風枠部と、この通風枠部の長手方向の両端部に形成される壁面に設けた支持孔に設けられる軸受部と、この軸受部に回動自在に軸支される軸部を設けた主風向板と、この主風向板に所定間隔をあけて取り付けられる副風向板とにより形成される風向変更部とを備え、前記風向変更部は主風向板のみを弾性変形させて前記軸受部に軸部を介して軸支し、この軸支された主風向板に前記副風向板を取り付ける構成としたものである。
【０００９】
本発明によれば、風向変更部を工具等を用いず取り付けが可能な風向変更装置が得られる。
【００１０】
【発明の実施の形態】
本発明は、本体の天面に細長く形成された空気吹出口の三方を囲むように設けられた通風枠部と、この通風枠部の長手方向の両端部に形成される壁面に設けた支持孔に設けられる軸受部と、この軸受部に回動自在に軸支される軸部を設けた主風向板と、この主風向板に所定間隔をあけて取り付けられる副風向板とにより形成される風向変更部とを備え、前記風向変更部は主風向板のみを弾性変形させて前記軸受部に軸部を介して軸支し、この軸支された主風向板に前記副風向板を取り付ける構成としたことにより、風向変更部を通風枠部内に工具を用いることなく着脱可能に設けることができるという作用を有する。
【００１１】
以下、本発明の実施例について図面を参照しながら説明する。
【００１２】
【実施例】
（実施例１）
図１〜図５に示すように、薄形形状の本体３は内部に送風装置１と貯水槽２および除湿装置（図示せず）を設けている。本体３の天面には細長く形成された空気吹出口４を設け、本体３の上面を覆う蓋５には空気吹出口４の三方を囲む通風枠部６と操作部７および折畳み式の出没自在な取手８を設けている。通風枠部６の長手方向の両端の壁面には支持孔９Ａ、９Ｂおよび、蓋５を取り付ける取付けねじ１０を介して本体３に取り付ける取付部１１を設け、取付部１１は取付けねじ１０を囲む環状リブ１２を備えている。
【００１３】
そして、通風枠部６の壁面に形成された支持孔９Ａには着脱自在な軸受部１３Ａを設け、他方の支持孔９Ｂには軸受部１３Ｂを設け、板状で両端部には係合孔１４を有した折曲部１５を設け、一方の折曲部１５には軸受部１３Ａに回動自在に軸支される形状で、中央には連結孔１６を設けた軸部１７Ａと、他方の折曲部１４には軸受部１３Ｂに回動自在に軸支される軸部１７Ｂを設けた主風向板１８を通風枠部６内に装着できるように形成している。主風向板１８に着脱自在に係止される副風向板１９は主風向板１８より細くした形状で両端部には主風向板１８に形成された係合孔１４に着脱自在に弾性係合する突状の係合子２０と、主風向板との間隔を保持する間隔板２１を設け、主風向板１８と副風向板１９により風向変更部２２を形成し構成する。
【００１４】
上記構成において、風向変更部２２を通風枠部６内に取り付けるときには、副風向板１９を取り外した状態の主風向板１８を湾曲状に弾性変形させ、主風向板１８の端部に設けた軸部１７Ａを通風枠部６に設けられている軸受部１３Ａに係合し、他端部に設けた軸部１７Ｂを通風枠部６に設けられている軸受部１３Ｂに係合し、主風向板１８を弾性変形するために加えていた力を解除すると、主風向板１８の軸部１７Ａ、１７Ｂは軸受部１３Ａ、１３Ｂに回動自在に軸支される。
【００１５】
そして、回動自在に軸支されている主風向板１８に設けた係合孔１４に副風向板１９に設けられている係合子２０を弾性係合して通風枠部６に主風向板１８と副風向板１９よりなる風向変更部２２を装着し、風向変更部２２を垂直方向から水平方向に手動により可動自在に設け、風向変更部２２が水平方向に可動されたときには、通風枠部６に設けた取付部１１の環状リブ１２に副風向板１９が当接して、風向変更部２２は水平状態に保持される。
【００１６】
また、図１、図２に示すように、主風向板１８の折曲部１５に設けた多孔列１５ａが通風枠部６の側面より突出する軸受部１３Ａの突片１３Ｃに順次係合されるクリック手段を設けているので、風向変更部２２は水平状態から垂直状態の間において、所望角度に傾斜して保持されることとなり、空気吹出口４から送風される空気の吹出し方向を手動により望む角度に調整して使用することができる。
【００１７】
このように本発明の実施例１の風向変更装置によれば、本体３の天面に細長く形成された空気吹出口４の三方を囲むように設けられる通風枠部６の長手方向の両端部に形成される壁面に設けた支持孔９Ａ、９Ｂに設けられる軸受部１３Ａ、１３Ｂと、この軸受部１３Ａ、１３Ｂに回動自在に軸支される軸部１７Ａ、１７Ｂを設けた主風向板１８と、この主風向板１８に所定間隔をあけて取り付けられる副風向板１９とにより形成される風向変更部２２とを備え、風向変更部２２は主風向板１８のみを弾性変形させて軸受部１３Ａ、１３Ｂに軸部１７Ａ、１７Ｂを介して軸支したのち、主風向板１８に副風向板１９を取り付ける構成としたので、風向変更部２２は工具を用いずに送風枠部６内に装着することができ、取付けの作業性が良く、部品交換も容易におこなうことができる。
【００１８】
また、副風向板１９は風向変更部２２が略垂直状態において、取手と間違えて持ち上げられたときには、副風向板１９のみが外れる係合状態で主風向板１８に取り付けられている。したがって風向変更部２２が垂直状態のときに、取手と間違って風向変更部２２を持ち上げようとしたときには、風向変更部２２を形成する主風向板１８の係合孔１４より副風向板１９に設けた係合子２０が離脱し副風向板１９が主風向板１８より分離する。このとき使用者は取手と間違えたことが確認できるとともに、副風向板１９は主風向板１８より単に外れただけであるので、副風向板１９を主風向板１８に再び結合することにより元の状態に復元することができ、風向変更部２２が破損して使用できなくなるのが防止できる。
【００１９】
また、通風枠部６を形成する蓋５を取付けねじ１０を介して本体３に取り付ける取付部１１を通風枠部６の壁面に設け、取付部１１は取付けねじ１０を囲む環状リブ１２により形成し、風向変更部２２が取付部１１に当接して略水平状態に保持される構成としたので、取付部１１を形成する環状リブ１２が取付けねじ１０のねじ締め作業時の案内となるとともに、風向変更部２２を水平方向に移動させたときに、風向変更部２２を形成する副風向板１９が環状リブ１２に当接して風向変更部２２が水平状態に保持されることとなる。
【００２０】
（実施例２）
図６に示すように、実施例１で使用していた軸受部１３Ａ（図１参照）を支持孔９Ａより取り外したのち、モータ支持部材２３を介して、一定範囲往復駆動するモータよりなる駆動手段２４を蓋５の内側に取り付け、駆動手段２４の駆動軸２５を支持孔９Ａ内に設け、風向変更部２２を主風向板１８と副風向板１９に分離し、主風向板１８を湾曲状に弾性変形し、主風向板１８に設けた軸部１７Ａの連結孔１６を駆動軸２５に係合して駆動軸２５に軸部１７Ａを連結し、他方の軸部１７Ｂを軸受部１３Ｂに回動自在に軸支させて主風向板１８を取り付け、その後、副風向板１９の係合子２０を主風向板１８の係合孔１４に係合して風向変更部２２を形成して通風枠部６内に風向変更部２２を取り付ける構成とする。
【００２１】
上記構成において、駆動手段２４を運転すると、駆動手段２４の駆動軸２５に連結された軸部１７Ａが回動し、主風向板１８と副風向板１９よりなる風向変更部２２が所定の範囲往復運動をして、空気の吹出方向を自動的に変更することができる。
【００２２】
このように本発明の実施例２の風向変更装置によれば、風向変更部２２を自動運転する駆動手段２４を蓋５の内部に設け、駆動手段２４を設ける側の軸受部１３Ａを除き、駆動手段２４の駆動軸２５を主風向板１８の軸部１７Ａに連結して自動運転ができるようにして、手動運転と自動運転を同一の風向変更部２２で形成できる構成としたので、実施例１の手動運転に使用していた風向変更部２２を実施例２の自動運転にもそのまま使用することができ、一種類の風向変更部２２を手動運転と自動運転の両方に共用化が可能となり、部品管理が容易となり、製造やサービス作業においても部品共用化により作業性を向上することができる。
【００２３】
【発明の効果】
以上の実施例から明らかなように、本発明によれば本体の天面に細長く形成された空気吹出口の三方を囲むように設けられた通風枠部と、この通風枠部の長手方向の両端部に形成される壁面に設けた支持孔に設けられる軸受部と、この軸受部に回動自在に軸支される軸部を設けた主風向板と、この主風向板に所定間隔をあけて取り付けられる副風向板とにより形成される風向変更部とを備え、前記風向変更部は主風向板のみを弾性変形させて前記軸受部に軸部を介して軸支し、この軸支された主風向板に前記副風向板を取り付ける構成としたので、風向変更部を工具を用いずに送風枠部内に装着することができるという効果のある風向変更装置を提供できる。
【００２４】
また、風向変更部が略垂直状態において、副風向板を取手と間違えて持ち上げたときには、前記副風向板が分離する係合状態で主風向板に取り付けられている構成としたので、取手と間違えたことが確認できるとともに、風向変更部が破損して使用できなくなるのが防止できる。
【００２５】
また、通風枠部を形成する蓋を取付けねじを介して本体に取付ける取付部を前記通風枠部の壁面に設け、前記取付部は前記取付けねじを囲む環状リブにより形成し、風向変更部が前記取付部に当接して略水平状態に保持される構成としたので、環状リブが取付けねじの案内となるとともに、風向変更部を水平状態に保持することができる。
【００２６】
また、風向変更部を自動運転する駆動手段を蓋の内部に設け、駆動手段を設ける側の軸受部は除き、前記駆動の駆動軸を主風向板の軸部に連結して自動運転ができるようにして手動運転と自動運転を同一の風向変更部で形成できる構成としたので、一種類の風向変更部を手動運転と自動運転の両方に共用化が可能となり、部品管理等が容易にできる。
【図面の簡単な説明】
【図１】本発明の実施例１の風向変更装置の構成を示す分解斜視図
【図２】同風向変更装置の主風向板の端部の構成を示す斜視図
【図３】同風向変更装置の副風向板を取り外した状態を示す本体の斜視図
【図４】同風向変更装置を取り付けた状態を示す本体の斜視図
【図５】同風向変更装置を取り付けた本体の断面図
【図６】本発明の実施例２の風向変更装置の構成を示す分解斜視図
【符号の説明】
３  本体
４  空気吹出口
５  蓋
６  通風枠部
９Ａ  支持孔
９Ｂ  支持孔
１１  取付部
１２  環状リブ
１３Ａ  軸受部
１３Ｂ  軸受部
１７Ａ  軸部
１７Ｂ  軸部
１８  主風向板
１９  副風向板
２２  風向変更部
２４  駆動手段
２５  駆動軸
【図１】
2004251585.tif 000003
【図２】
2004251585.tif 000004
【図３】
2004251585.tif 000005
【図４】
2004251585.tif 000006
【図５】
2004251585.tif 000007
【図６】
2004251585.tif 000008